(57)【要約】【課題】ＨＤ等の高画素の撮像装置を撮影時にパーンすると高精細画像が急激にボケ、違和感がでるという課題があった。この課題を解決できる撮像装置の提供を目的とする。【解決手段】撮像部から出力される撮像信号の解像度をコントロールする解像度コントロール回路と、前記解像度コントロール回路の出力信号の解像度を判定する解像度判定回路と、前記解像度判定回路からの出力信号に基づき、前記撮像信号の解像度の変化量が所定の閾値を超えるときは、前記変化量をより小さくするように前記解像度コントロール回路を制御する制御回路を備え、違和感を抱くような、急にボケたり、あるいは急に高解像度に戻るような画像変化を防ぐようにする。【選択図】図１
2009253510.tif 000002
【特許請求の範囲】
【請求項１】
被写体光を撮像信号に変換する撮像部と、
前記撮像部から出力される撮像信号の解像度をコントロールする解像度コントロール部と、
前記解像度コントロール部の出力信号の解像度を判定する解像度判定部と、
前記解像度判定部による解像度についての判定結果に基づき、前記撮像信号の解像度の変化量が所定の閾値を超えるか否かを判定し、前記変化量が前記所定の閾値を超えると判定した場合、前記変化量がより小さくするように前記撮像信号の解像度を補正する制御信号を前記解像度コントロール部に対して出力することで、前記解像度コントロール部を制御する制御部と、
を備える撮像装置。
【請求項２】
前記解像度判定部は、
前記撮像信号の解像度の変化量を検出することが可能な周波数帯域を通過させる帯域通過フィルタ部と、
前記帯域通過フィルタ部から出力される信号を所定の時間だけ遅延させる遅延部と、
前記帯域通過フィルタ部から出力される信号および前記遅延部から出力される信号との差分を検出する差分検出部と、
を有する、
請求項１に記載の撮像装置。
【請求項３】
前記制御部は、前記差分検出部から出力される信号に基づいて、前記撮像信号の解像度の変化量が所定の閾値を超えるか否かを判定する差分判定部と、
帯域通過フィルタ部からの出力信号および前記前記差分判定部の判定結果に基づいて、前記解像度コントロール部の制御特性を決定する制御特性部と、
を有する、
請求項２に記載の撮像装置。
【請求項４】
前記制御部は、前記帯域通過フィルタ部からの出力信号の信号レベルを判定し、前記信号レベルが所定の閾値以下である場合、前記解像度コントロール部の制御を行わない、
請求項３に記載の撮像装置。
【請求項５】
前記撮像部は、
シャッターと、
前記シャッターに対してシャッター制御を行うシャッターコントロール部と、
を有し、
前記制御部は、前記シャッターコントロール部を制御することで、前記撮像信号の解像度を補正する、
請求項１から４のいずれかに記載の撮像装置。
【請求項６】
前記制御部は、前記シャッターコントロール部に、前記シャッターのシャッタースピードを制御させることで、前記撮像信号の解像度を補正する、
請求項５に記載の撮像装置。
【請求項７】
前記解像度コントロール部は、
前記撮像信号の輪郭成分に対してゲイン値による調整を行うことにより、前記撮像信号の解像度を向上させる輪郭補正部と、
ゲイン値によるゲイン調整可能であり、かつ、前記撮像信号の信号帯域を制限することで、前記撮像信号の解像度を低下させる帯域制限部と、
を有し、
前記制御部は、前記輪郭補正部の前記ゲイン値である輪郭補正用ゲイン値、および前記帯域制限部のゲイン値である帯域制限用ゲイン値を変化させることで、前記解像度コントロール部を制御する、
請求項１から６のいずれかに記載の撮像装置。
【請求項８】
パーン速度およびチルト速度を検出するパーン・チルト速度検出部をさらに備え、
前記制御部は、前記解像度判定部による解像度についての判定結果および前記パーン・チルト速度検出部による検出結果に基づき、解像度の前記変化量をより小さくするように前記撮像信号の解像度を補正する制御信号を前記解像度コントロール部に対して出力することで、前記解像度コントロール部を制御する、
請求項１から７のいずれかに記載の撮像装置。
【請求項９】
静止状態からパーン操作および／またはチルト操作により一定速度の動状態になり、さらに、静止状態に戻るような前記撮像装置の操作状態において、
静止状態から一定速度の動状態になるまでの間は、前記撮像信号の解像度向上のゲイン値を静止状態のゲイン値Ｇ＿ｓｔｏｐより大きい値に設定し、
一定速度の動状態から静止状態になるまでの間は、前記撮像信号の解像度向上のゲイン値を一定速度の動状態のゲイン値Ｇ＿ｍｏｖｅより小さくしていき、さらに静止状態のゲイン値Ｇ＿ｓｔｏｐよりも小さいゲイン値Ｇ０となるまでゲイン値を減少させ、
静止状態になっても一定期間、前記撮像信号の解像度向上のゲイン値を、ゲイン値Ｇ０に維持し、
さらに一定時間後、前記撮像信号の解像度向上のゲイン値を、再び通常の静止状態のゲイン値Ｇ＿ｓｔｏｐに戻すように、前記制御部が前記解像度コントロール部の解像度を制御する、
請求項８に記載の撮像装置。
【請求項１０】
前記静止状態になった後の一定時間維持されるゲイン値Ｇ０が「０」である、
請求項９に記載の撮像装置。
【請求項１１】
前記静止状態になってゲイン値Ｇ０が維持される一定時間と、その後再び静止状態の通常のゲインに戻る一定時間は、急激な解像度の変化を感じさせない時間である、
請求項１０に記載の撮像装置。
【請求項１２】
被写体光を撮像信号に変換する撮像部を備える撮像装置に用いられる解像度制御方法であって、
前記撮像部から出力される撮像信号の解像度をコントロールする解像度コントロールステップと、
前記解像度コントロールステップが実行された信号の解像度を判定する解像度判定ステップと、
前記解像度判定ステップによる解像度についての判定結果に基づき、前記撮像信号の解像度の変化量が所定の閾値を超えるか否かを判定し、前記変化量が前記所定の閾値を超えると判定した場合、前記変化量がより小さくするように前記解像度コントロールステップを制御する制御ステップと、
を備える解像度制御方法。
【請求項１３】
被写体光を撮像信号に変換する撮像部を備える撮像装置に用いられる解像度制御方法をコンピュータに実行させるプログラムであって、
コンピュータに、
前記撮像部から出力される撮像信号の解像度をコントロールする解像度コントロールステップと、
前記解像度コントロールステップが実行された信号の解像度を判定する解像度判定ステップと、
前記解像度判定ステップによる解像度についての判定結果に基づき、前記撮像信号の解像度の変化量が所定の閾値を超えるか否かを判定し、前記変化量が前記所定の閾値を超えると判定した場合、前記変化量がより小さくするように前記解像度コントロールステップを制御する制御ステップと、
を実行させるプログラム。
【請求項１４】
被写体光を撮像信号に変換する撮像部を備える撮像装置に用いられる集積回路であって、
前記撮像部から出力される撮像信号の解像度をコントロールする解像度コントロール部と、
前記解像度コントロール部の出力信号の解像度を判定する解像度判定部と、
前記解像度判定部による解像度についての判定結果に基づき、前記撮像信号の解像度の変化量が所定の閾値を超えるか否かを判定し、前記変化量が前記所定の閾値を超えると判定した場合、前記変化量がより小さくするように前記撮像信号の解像度を補正する制御信号を前記解像度コントロール部に対して出力することで、前記解像度コントロール部を制御する制御部と、
を備える集積回路。
【請求項１５】
被写体光を撮像信号に変換する撮像部と、
前記撮像部から出力される撮像信号の解像度をコントロールする解像度コントロール部と、
前記解像度コントロール部の出力信号の解像度を判定する解像度判定部と、
前記解像度判定部による解像度についての判定結果に基づき、前記撮像信号の解像度の変化量が所定の閾値を超えるか否かを判定し、前記変化量が前記所定の閾値を超えると判定した場合、前記変化量がより小さくするように前記撮像信号の解像度を補正する制御信号を前記解像度コントロール部に対して出力することで、前記解像度コントロール部を制御する制御部と、
を備える集積回路。
【発明の詳細な説明】
【技術分野】
【０００１】
本発明は、撮像時のパーン操作、チルト操作に起因する撮像画像の解像度変化によって、撮影者にもたらされる違和感を回避、軽減することができる撮像装置に関するものである。
【背景技術】
【０００２】
従来の撮像装置において、撮像画像の解像度をコントロールする技術として、特開平３−１２６４２９号公報に記載されている技術がある。
この技術は、内視鏡画像の動き検出量に応じて輪郭補正特性を可変制御する電子内視鏡装置（撮像装置）に関するものである。
図１４に、従来の電子内視鏡装置（撮像装置）９００の構成図を示す。
図１４に示すように、従来の撮像装置９００は、入力映像信号の動き量（映像信号により形成される映像内の動きの量）を検出する動き量検出手段９２と、動き量検出手段９２の検出結果に基づいて、入力映像信号の輪郭を補正する輪郭補正手段９１と、から構成されている。そして、輪郭補正手段９１は、動き量検出手段９２の検出結果に基づいて輪郭補正回路９３の補正特性をコントロールする補正特性制御回路９４と、補正特性制御回路からの出力に基づいて入力映像信号の高周波成分を補正する輪郭補正回路９３と、から構成されている。
【０００３】
また、図１５は、輪郭補正回路９３の内部構成を示す構成図である。輪郭補正回路９３は、所定時間Δｔの遅延をする遅延回路９３０１、９３０２と、ゲイン調整を行う乗算器９３０３、９３０４、９３０５と、加算器９３０６、９３１０と、動き量検出手段９２の出力信号により輪郭補正信号のゲインをコントロールするレベル制御回路９３０９と、を備える。
また、図１７は、動き量検出手段９２の内部構成を示す構成図である。動き量検出手段９２は、入力映像信号を１水平走査時間（１Ｈ）遅延させる１ＨＤＬ回路９２１と、入力映像信号および１ＨＤＬ回路９２１から出力された映像信号との差分を検出の為の減算回路９２２と、減算回路から出力される差分の絶対値をとる絶対値回路９２３と、絶対値回路９２３から出力された信号の低域成分を抽出するＬＰＦ９２４と、ＬＰＦ９２４から出力された信号に対してＡ／Ｄ変換を行うＡ／Ｄ変換器９２５と、を備える。
【０００４】
図１６は、レベル制御回路９３０９の内部構成（同図（ａ））と補正特性を示す特性図（同図（ｂ））である。図１６（ａ）に示すように、レベル制御回路９３０９は、補正特性を保持するＲＯＭ（Ｒｅａｄ  Ｏｎｌｙ  Ｍｅｍｏｒｙ）のＬＵＴ（Ｌｏｏｋ  Ｕｐ  Ｔａｂｌｅ）９３０９ａにより構成されている。
従来の撮像装置９００の概略動作について、図１４を用いて説明する。
動き量検出手段９２は、入力映像信号の動き量を検出し、検出した動き量を示す信号を補正特性制御回路９４に出力する。補正特性制御回路は、動き量検出手段９２から出力された信号を入力とし、動き量検出手段９２により検出された入力映像信号の動き量に応じた補正特性の信号を、輪郭補正回路９３に出力する。輪郭補正回路９３は、補正特性制御回路９４からの出力に基づいて、入力映像信号の輪郭を補正（入力映像信号により形成される映像における輪郭部分に相当する映像信号を補正）、つまり、高域成分を強調（補正）する。具体的には、輪郭補正回路９３は、輪郭補正の強調具合（輪郭補正の強調具合を決定するゲイン）を補正特性制御回路の出力信号でコントロールする。
【０００５】
以下、図１４から図１７を用いて、従来の撮像装置９００の具体的な各処理について説明する。なお、説明を簡単にするため、水平輪郭補正についてのみの説明を行う。
図１５に示す輪郭補正回路９３において、入力映像信号は、遅延回路９３０１，９３０２により所定時間Δｔの遅延が施される。原信号（入力映像信号）と、それぞれの遅延信号（遅延回路９３０１および９３０２から出力される遅延信号）は、乗算器９３０３，９３０４，９３０５により、図内に示す数字のゲインの乗算がなされ、加算器９３０６で加算される。この加算により、所謂ハイパスフィルタの特性の演算が実行されることになり、Δｔの時間によって、そのブーストされる周波数が決定される。加算器９３０６から出力される信号は、乗算器９３０７でゲイン正規化された後、乗算器９３０８で最終のゲインコントロールがなされた後に加算器９３１０でタイミング調整されたもとの映像信号に加算される。これにより、高域成分が補正（加算）された映像信号（映像信号補正出力）が輪郭補正回路９３から出力される。
【０００６】
ここで、乗算器９３０８には、図１６（ｂ）に示すような特性により生成されたゲインコントロール信号が、レベル制御回路９３０９から出力される。つまり、輪郭補正回路９３では、入力映像信号の動き量が大きければ大きいほどエンハンスレベルを落とす（ゲインを落とす）ゲインコントロールを行っている。
動き量検出手段９２の内部構成の一例を、図１７に示す。図１７に示すように、動き量検出手段９２は、入力映像信号の１Ｈ（１水平期間）の前後（時間的な前後）の信号の差分を、１ＨＤＬ回路９２１と減算器９２２とで抽出する。絶対値回路９２３は、減算器９２２から出力される信号の絶対値をとり、ＬＰＦ９２４に出力する。ＬＰＦ９２４は、絶対値回路９２３から出力される信号の低域成分を抽出する。そして、ＬＰＦ９２４から出力される信号（低域成分を抽出した信号）は、Ａ／Ｄ変換器９２５でデジタル信号に変換される。このＡ／Ｄ変換器９２５によりＡ／Ｄ変換されたデジタル信号が動き量検出信号として、補正特性制御回路９４のレベル制御回路９３０９へ出力される。
【０００７】
以上のような構成、動作により、従来の撮像装置９００は、被写体の動きに応じ輪郭補正をコントロールすることができるとともに、撮像装置９００により取得される画像（映像）が、動画像の場合（取得される映像において動き量が多い場合）は、映像信号に対して輪郭補正の強調（輪郭補正処理の強調度合い）を抑え、静止画像の場合（取得される映像において動き量が少ない場合）は、映像信号に対して通常の輪郭強調を施すことができる。これにより、人間の視覚特性に適合するようにした電子内視鏡装置（撮像装置）を実現することができる。従来例では、人間の視覚特性が、比較的ゆっくりした変化に対して人間の目の応答性はよく、動画像に含まれるノイズの低域成分に対する人間の目の感度は高くなる点に注目している。そして、比較的ゆっくりとした変化が生じる映像を処理する場合に、静止画像の場合と同じ輪郭強調レベルに設定すると、動画像に対してぎらついた不自然な画像になるという問題点を、従来例は、解決している。
【特許文献１】特開平３−１２６４２９号公報
【発明の開示】
【発明が解決しようとする課題】
【０００８】
しかしながら、上記で説明したような解像度を可変する従来の撮像装置では、動画像と静止画像とでの解像度を変化させることで、動画像のゆっくりとしたノイズの変化を特に強調せず目立たないようにすることができる。しかし、このような撮像装置（あるいは解像度可変機能を有しない通常の撮像装置）において、撮像時に撮像装置でパーン操作やチルト操作をして画面全体（撮像画像全体）が動くような場合に、撮影者が違和感を抱くことがある。具体的には、従来の撮像装置において、静止状態から人間の目で追うのがやや困難なパーン操作やチルト操作（例えば、人間の目がついていけない速さでのパーン操作やチルト操作）を行った場合、撮像装置の取得画像（撮像画像）の解像度が極端に落ちてボケ画像になることがある。このようなボケ画像に対して、撮影者は違和感（静から動へ移行したときの違和感）を抱くことがある。また、逆に、パーン操作やチルト操作の終了で静止画像に戻る時に、撮像装置での取得画像（撮像画像）が、ボケ画像から静止画の高精細な画像に変わることにより、撮影者やあるいは視聴者に違和感（動から静へ移行したときの違和感）を与える問題点がある。
【０００９】
このような撮影者や視聴者に違和感を与える現象は、近年のＨＤ（Ｈｉｇｈ  Ｄｅｆｉｎｉｔｉｏｎ）化にともなう高精細映像取得（撮像）用の撮像装置（例えば、ＨＤ映像（画像）を取得することができる画素数の画素を持つ撮像素子を有する撮像装置）において顕著であり、放送用や制作用、業務用の撮像装置においては、撮影テクニックあるいは、画創りを考慮する場合に大きな影響を与える。
本発明は、上記従来の問題点を解決するもので、撮影時にパーン操作やチルト操作により、静止状態から動状態になることよって、高精彩画像からボケ画像になる時の解像度変化により発生する違和感（撮影者等に与える違和感）を抑えるとともに、逆に、動状態から静止状態に戻ることによってボケ画像から高精彩画像になる時の極端な解像度変化を極力抑え、撮影者等に違和感を与えない撮像装置を提供することを目的とする。
【課題を解決するための手段】
【００１０】
第１の発明は、撮像部と、解像度コントロール部と、解像度判定部と、制御部と、を備える撮像装置である。撮像部は、被写体光を撮像信号に変換する。解像度コントロール部は、撮像部から出力される撮像信号の解像度をコントロールする。解像度判定部は、解像度コントロール部の出力信号の解像度を判定する。制御部は、解像度判定部による解像度についての判定結果に基づき、撮像信号の解像度の変化量が所定の閾値を超えるか否かを判定し、変化量が所定の閾値を超えると判定した場合、変化量がより小さくするように撮像信号の解像度を補正する制御信号を解像度コントロール部に対して出力することで、解像度コントロール部を制御する。
この撮像装置では、解像度判定部により解像度が判定され、解像度の急激な変化を制御部により的確に検出することができる。このため、例えば、撮影時にパーン操作やチルト操作により、静止状態から動状態になることよって、高精彩画像からボケ画像になる時の解像度変化により発生する違和感（撮影者等に与える違和感）を抑えるとともに、逆に、動状態から静止状態に戻ることによってボケ画像から高精彩画像になる時の極端な解像度変化を極力抑え、撮影者等に違和感を与えない撮像装置を実現することができる。
【００１１】
なお、「所定の閾値」は、撮像装置が扱う撮像信号（映像信号）の品質および人間の視覚特性により決定されるものであるが、一例として、ＨＤ用撮像装置において、パーン速度（チルト速度）が２００［ｐｉｘｅｌ／ｓｅｃ］あたりの限界解像度の急激な変化を抑えることができるように「所定の閾値」を設定すればよい。
第２の発明は、第１の発明であって、解像度判定部は、帯域通過フィルタ部と、遅延部と、差分検出部と、を有する。帯域通過フィルタ部は、撮像信号の解像度の変化量を検出することが可能な周波数帯域を通過させる。遅延部は、帯域通過フィルタ部から出力される信号を所定の時間だけ遅延させる。差分検出部は、帯域通過フィルタ部から出力される信号および遅延部から出力される信号との差分を検出する。
第３の発明は、第２の発明であって、制御部は、差分検出部から出力される信号に基づいて、撮像信号の解像度の変化量が所定の閾値を超えるか否かを判定する差分判定部と、帯域通過フィルタ部からの出力信号および差分判定部の判定結果に基づいて、解像度コントロール部の制御特性を決定する制御特性部と、を有する。
【００１２】
第４の発明は、第３の発明であって、制御部は、帯域通過フィルタ部からの出力信号の信号レベルを判定し、信号レベルが所定の閾値以下である場合、解像度コントロール部の制御を行わない。
これにより、撮像装置において、変化が分かりにくい被写体であっても適切な制御を行うことができる。例えば、被写体が真っ白な物体のみの場合であっても適切な制御を行うことができる。
第５の発明は、第１から第４のいずれかの発明であって、撮像部は、
シャッターと、シャッターに対してシャッター制御を行うシャッターコントロール部と、を有する。そして、制御部は、シャッターコントロール部を制御することで、撮像信号の解像度を補正する。
【００１３】
これにより、シャッターを制御することによる解像度の制御を行うことも可能となる。
第６の発明は、第５の発明であって、制御部は、シャッターコントロール部に、シャッターのシャッタースピードを制御させることで、撮像信号の解像度を補正する。
第７の発明は、第１から第６のいずれかの発明であって、解像度コントロール部は、撮像信号の輪郭成分に対してゲイン値による調整を行うことにより、撮像信号の解像度を向上させる輪郭補正部と、ゲイン値によるゲイン調整可能であり、かつ、撮像信号の信号帯域を制限することで、撮像信号の解像度を低下させる帯域制限部と、を有する。そして、制御部は、輪郭補正部のゲイン値である輪郭補正用ゲイン値、および帯域制限部のゲイン値である帯域制限用ゲイン値を変化させることで、解像度コントロール部を制御する。
この撮像装置では、ゲイン値により解像度制御を行うことができるので、ゲイン特性を決定させることで、所望の解像度制御を行うことが可能となる。なお、撮像装置において、ゲイン特性を、例えば、ＬＵＴ（ルック・アップ・テーブル）により保持することで、多様なゲイン特性によるゲイン値設定を簡単に行うことができる。
【００１４】
第８の発明は、第１から第７のいずれかの発明であって、パーン速度およびチルト速度を検出するパーン・チルト速度検出部をさらに備える。そして、制御部は、解像度判定部による解像度についての判定結果およびパーン・チルト速度検出部による検出結果に基づき、解像度の変化量をより小さくするように撮像信号の解像度を補正する制御信号を解像度コントロール部に対して出力することで、解像度コントロール部を制御する。
この撮像装置では、パーン・チルト速度検出部により撮像装置のパーン速度および／またはチルト速度を正確に把握することができるので、より精度の高い解像度制御を行うことができる。
第９の発明は、第８の発明であって、静止状態からパーン操作および／またはチルト操作により一定速度の動状態になり、さらに、静止状態に戻るような撮像装置の操作状態において、以下のような制御を行う。
（１）静止状態から一定速度の動状態になるまでの間は、撮像信号の解像度向上のゲイン値を静止状態のゲイン値Ｇ＿ｓｔｏｐより大きい値に設定し、
（２）一定速度の動状態から静止状態になるまでの間は、撮像信号の解像度向上のゲイン値を一定速度の動状態のゲイン値Ｇ＿ｍｏｖｅより小さくしていき、さらに静止状態のゲイン値Ｇ＿ｓｔｏｐよりも小さいゲイン値Ｇ０となるまでゲイン値を減少させ、
（３）静止状態になっても一定期間、撮像信号の解像度向上のゲイン値を、ゲイン値Ｇ０に維持し、
（４）さらに一定時間後、撮像信号の解像度向上のゲイン値を、再び通常の静止状態のゲイン値Ｇ＿ｓｔｏｐに戻すように、制御部が解像度コントロール部の解像度を制御する。
【００１５】
これにより、解像度の急激な変化を人間の視覚特性に適した形で効果的に抑える異ができるため、この撮像装置により取得される撮像信号（映像信号）による映像を撮影者等が見たときに違和感を抱くことがほとんどない。
第１０の発明は、第９の発明であって、静止状態になった後の一定時間維持されるゲイン値Ｇ０が「０」である。
なお、「一定時間」は、人間の視覚特性および撮像装置の扱う信号の種類によって決定される。
また、「ゲイン値Ｇ０が「０」」とは、撮像信号の解像度向上の効果を発生させないゲイン値である。つまり、ゲイン値Ｇ０が「０」である場合、撮像信号は、スルーの状態で出力される（解像度を向上させる処理を施されることなく出力される）ことになる。
【００１６】
第１１の発明は、第１０の発明であって、静止状態になってゲイン値Ｇ０が維持される一定時間と、その後再び静止状態の通常のゲインに戻る一定時間は、急激な解像度の変化を感じさせない時間である。
第１２の発明は、被写体光を撮像信号に変換する撮像部を備える撮像装置に用いられる解像度制御方法であって、解像度コントロールステップと、解像度判定ステップと、制御ステップと、を備える。
解像度コントロールステップでは、撮像部から出力される撮像信号の解像度をコントロールする。解像度判定ステップでは、解像度コントロールステップが実行された信号の解像度を判定する。制御ステップでは、解像度判定ステップによる解像度についての判定結果に基づき、撮像信号の解像度の変化量が所定の閾値を超えるか否かを判定し、変化量が所定の閾値を超えると判定した場合、変化量がより小さくするように解像度コントロールステップを制御する。
【００１７】
これにより、第１の発明と同様の効果を奏する解像度制御方法を実現することができる。
第１３の発明は、被写体光を撮像信号に変換する撮像部と、を備える撮像装置に用いられる解像度制御方法をコンピュータに実行させるプログラムであって、コンピュータに、解像度コントロールステップと、解像度判定ステップと、制御ステップと、を実行させるプログラムである。
解像度コントロールステップでは、撮像部から出力される撮像信号の解像度をコントロールする。解像度判定ステップでは、解像度コントロールステップが実行された信号の解像度を判定する。制御ステップでは、解像度判定ステップによる解像度についての判定結果に基づき、撮像信号の解像度の変化量が所定の閾値を超えるか否かを判定し、変化量が所定の閾値を超えると判定した場合、変化量がより小さくするように解像度コントロールステップを制御する。
【００１８】
これにより、第１の発明と同様の効果を奏する解像度制御方法をコンピュータに実行させるプログラムを実現することができる。
第１４の発明は、被写体光を撮像信号に変換する撮像部を備える撮像装置に用いられる集積回路であって、解像度コントロール部と、解像度判定部と、制御部と、を備える集積回路である。解像度コントロール部は、撮像部から出力される撮像信号の解像度をコントロールする。解像度判定部は、解像度コントロール部の出力信号の解像度を判定する。制御部は、解像度判定部による解像度についての判定結果に基づき、撮像信号の解像度の変化量が所定の閾値を超えるか否かを判定し、変化量が所定の閾値を超えると判定した場合、変化量がより小さくするように撮像信号の解像度を補正する制御信号を解像度コントロール部に対して出力することで、解像度コントロール部を制御する。
【００１９】
これにより、第１の発明と同様の効果を奏する集積回路を実現することができる。
第１５の発明は、撮像部と、解像度コントロール部と、解像度判定部と、制御部と、を備える撮像装置である。撮像部は、被写体光を撮像信号に変換する。解像度コントロール部は、撮像部から出力される撮像信号の解像度をコントロールする。解像度判定部は、解像度コントロール部の出力信号の解像度を判定する。制御部は、解像度判定部による解像度についての判定結果に基づき、撮像信号の解像度の変化量が所定の閾値を超えるか否かを判定し、変化量が所定の閾値を超えると判定した場合、変化量がより小さくするように撮像信号の解像度を補正する制御信号を解像度コントロール部に対して出力することで、解像度コントロール部を制御する。
これにより、第１の発明と同様の効果を奏する集積回路を実現することができる。
【発明の効果】
【００２０】
本発明によれば、撮像部からの撮像信号の解像度変化を検出し、その変化具合に応じて、解像度をコントロールできるという優れた効果が得られる。
また、撮像部からの撮像信号の解像度変化を検出し、その変化具合に加えて、撮像装置のパーン操作やチルト操作の速度（パーン速度、チルト速度）を検出し、パーン操作、チルト操作等の撮影状態の情報も加味して解像度をコントロールできるという優れた効果が得られる。
【発明を実施するための最良の形態】
【００２１】
［第１実施形態］
以下、図面を用いて、本発明の第１実施形態について説明する。
＜１．１：撮像装置の構成＞
図１は、本発明の第１実施形態における撮像装置１００の構成を示すブロック図である。
図１に示すように、撮像装置１００は、被写体からの光を光電変換により撮像信号（映像信号）として取得する撮像部１と、撮像部１から出力される撮像信号（映像信号）に対して信号処理を行う信号処理部２と、を備える。信号処理部２は、撮像部１から出力される撮像信号の解像度をハイパスフィルタやローパスフィルタを用いてコントロール（制御）する解像度コントロール部２１と、解像度コントロール部２１の出力信号の解像度を判定する解像度判定部２２と、解像度判定部２２の出力信号に基づいて、撮像信号（映像信号）の解像度の変化具合を判定し、解像度コントロール部２１の解像度コントロールを制御する制御部２３と、を備える。
【００２２】
撮像部１は、図２に示すように、撮像素子１１と、シャッターコントロール部１２とを備える。
撮像素子１１は、光学系（不図示）により集光された被写体光を光電変換により撮像信号（映像信号）として取得し、取得した撮像信号（映像信号）を信号処理部２の解像度コントロール部２１に出力する。撮像素子１１として、例えば、ＣＣＤやＣＭＯＳ型イメージセンサを用いることが好ましい。
撮像部１の撮像素子１１（例えば、ＣＣＤやＣＭＯＳデバイスにより構成される撮像素子）からは、所定のフォーマットにしたがって撮像信号（映像信号）が出力される。さらに、解像度に関して論じれば、画素数の多いＨＤ（Ｈｉｇｈ  Ｄｅｆｉｎｉｔｉｏｎ）フォーマットの撮像素子では、ＳＤ（Ｓｔａｎｄａｒｄ  Ｄｅｆｉｎｉｔｉｏｎ）フォーマットの撮像素子より高解像度の撮像信号を得ることが出来る。
【００２３】
シャッターコントロール部１２は、制御部２３からのシャッター制御信号を入力とし、制御部２３からのシャッター制御信号に基づいて撮像素子１１の電荷蓄積時間をコントロールする。シャッターコントロール部１２の機能は、いわゆる電子シャッター機能を用いて実現される。なお、シャッターコントロール部１２の機能は、機械シャッター（メカ・シャッター）により実現されるものであってもよい。
また、撮像素子１１の電荷蓄積時間をコントロールするシャッターコントロール部１２で、シャッター時間を短く設定すれば、動解像度の解像度を上げることができる。
解像度コントロール部２１は、図３に示すように、輪郭補正部２１１と、帯域制限部２１２と、を備える。解像度コントロール部２１では、輪郭補正部２１１で、高域成分を抽出し、元信号に加算することにより解像度を高くする処理と帯域制限部２１２で帯域を制限することにより、逆に、解像度を落とす処理が組み込まれている。
【００２４】
輪郭補正部２１１は、図４に示すように、遅延部２１１１と、ＨＰＦ２１１２と、加算器２１１３と、を有する。輪郭補正部２１１は、撮像部１から出力される撮像信号（映像信号）および制御部２３から出力される輪郭補正用解像度制御信号を入力として、撮像信号（映像信号）に対して、輪郭補正用解像度制御信号に基づいて輪郭補正処理を行い、輪郭補正処理を行った信号を出力する。
ＨＰＦ２１１２は、輪郭補正用解像度制御信号によりゲイン調整を行うことができるＨＰＦ（高域通過フィルタ）である。ＨＰＦ２１１２は、撮像部１から出力される撮像信号（映像信号）から高域成分を抽出し、輪郭補正用解像度制御信号によるゲイン調整した信号を、加算器２１１３に出力する。ＨＰＦ２１１２のゲインを高くすることで、輪郭補正部２１１から出力される信号の解像度を向上させることができる。なお、ＨＰＦ２１１２は、ＢＰＦ（所定の帯域を通過させるフィルタ（帯域制限フィルタ））により実現させてもよい。
【００２５】
遅延部２１１１は、撮像部１から出力される撮像信号（映像信号）を、ＨＰＦ２１１２での遅延時間と同一の時間だけ遅延させて、加算器２１１３に出力する。
加算器２１１３は、遅延部２１１１からの出力信号と、ＨＰＦ２１１２からの出力信号とを加算し、加算した信号を帯域制限部２１２に出力する。
なお、ＨＰＦ２１１２が抽出する高域成分は、撮像信号（映像信号）を表示装置に表示させた場合の映像（画像）において、輪郭部分を形成する撮像信号（映像信号）に多く含まれる周波数成分である。つまり、ＨＰＦ２１１２として、撮像信号（映像信号）により形成される輪郭部分に対応する周波数成分を抽出するフィルタを用いることが好ましい。
帯域制限部２１２は、輪郭補正部から出力される輪郭補正された撮像信号（映像信号）および解像度判定部２２から出力される帯域制限用解像度制御信号を入力とし、帯域制限用解像度制御信号に基づいて、撮像信号（映像信号）の帯域制限を行うとともに、帯域制限を行った信号のゲイン調整を行い、解像度判定部２２および信号処理部２の後段の処理部（不図示）に出力する。なお、帯域制限部２１２は、撮像信号（映像信号）の解像度を落とす処理を実現するもので、撮像信号（映像信号）の解像度を効果的に落とす（低下させる）ように、帯域制限用解像度制御信号により帯域制限部２１２の周波数特性およびゲイン特性が決定される。
【００２６】
解像度判定部２２は、図５に示すように、帯域制限フィルタ（ＢＰＦ）２２１と、遅延部２２２と、差分検出部２２３と、を備える。
帯域制限フィルタ（ＢＰＦ）２２１は、解像度コントロール部２１の帯域制限部２１２から出力される撮像信号（映像信号）を入力とし、入力された撮像信号（映像信号）に対して、解像度判定に有効な周波数帯域の成分を抽出する。つまり、帯域制限フィルタ（ＢＰＦ）２２１は、入力された撮像信号（映像信号）に対して、解像度判定に有効な周波数帯域を通過させるＢＰＦ処理を行い、ＢＰＦフィルタ処理を行った信号を、解像度判定信号（ａ）として、遅延部２２２、差分検出部２２３および制御部２３の制御特性部２３２に出力する。なお、帯域制限フィルタ（ＢＰＦ）２２１として、例えば、撮像信号（映像信号）の信号帯域の上限が１０００ＴＶ本である場合、５００ＴＶ本〜１０００ＴＶ本を通過帯域とするＢＰＦを用いるとよい。さらに、７００ＴＶ本〜８００ＴＶ本あたりを通過帯域とするＢＰＦを用いることで効果が高い。ただし、帯域制限フィルタ（ＢＰＦ）２２１の周波数特性は、これらに限定されるものではなく、他の通過帯域を持つＢＰＦを用いてもよい。
【００２７】
遅延部２２２は、帯域通過フィルタ（ＢＰＦ）２２１からの出力信号を入力とし、帯域通過フィルタ（ＢＰＦ）２２１からの出力信号を所定の時間だけ遅延させて差分検出部２２３に出力する。ここで、「所定の時間」とは、解像度が急激に変化しているか否かを判断するのに十分な時間で、例えば、１フィールドに相当する時間がこれに相当する。なお、「所定の時間」を映像信号の数ライン分に相当する時間（水平同期期間の数倍に相当する時間）に設定してもよい。
差分検出部２２３は、帯域通過フィルタ（ＢＰＦ）２２１および遅延部２２２からの出力信号を入力とし、両信号の差分（両信号レベルの差分）を検出し、検出結果を示す信号を解像度判定信号（ｂ）として、制御部２３の差分判定部２３１に出力する。
制御部２３は、図６に示すように、差分判定部２３１と、制御特性部２３２と、を備える。
【００２８】
差分判定部２３１は、差分検出部２２３から出力される解像度判定信号（ｂ）を入力とし、解像度判定信号（ｂ）から撮像信号（映像信号）の解像度変動量を示す信号を取得し、制御特性部２３２に出力する。
制御特性部２３２は、帯域通過フィルタ（ＢＰＦ）２２１から出力される解像度判定信号（ａ）および差分判定部２３１から出力される解像度変動量を示す信号を入力とし、解像度判定信号（ａ）および解像度変動量を示す信号に基づいて、解像度コントロール部２１の輪郭補正部２１１の特性を制御する輪郭補正用解像度制御信号、帯域制限部２１２の特性を制御する帯域制限用解像度制御信号、および撮像部１のシャッターを制御するためのシャッター制御信号を生成する。そして、制御特性部は、生成した輪郭補正用解像度制御信号および帯域制限用解像度制御信号を、それぞれ、輪郭補正部２１１および帯域制限部２１２に出力する。さらに、制御特性部は、シャッター制御信号を撮像部１のシャッターコントロール部１２に出力する。つまり、制御特性部２３２は、差分判定部２３１の出力信号と帯域通過フィルタ（ＢＰＦ）２２１の出力信号の両方から解像度コントロール部２１へ出力する制御信号（輪郭補正用解像度制御信号および帯域制限用解像度制御信号）の特性を決定する。なお、撮像装置２００がＨＤ用撮像装置（ＨＤ−カメラ）である場合、輪郭補正部のゲイン特性が図１０に示すような特性となるように、制御信号（輪郭補正用解像度制御信号）を決定することが好ましい。具体的には、ＨＤ用撮像装置において、撮影者等に違和感を抱かせる原因となる、パーン速度が２００［ｐｉｘｅｌ／ｓｅｃ］あたりの解像度劣化を防止するような特性（パーン速度が２００［ｐｉｘｅｌ／ｓｅｃ］あたりのゲイン値がピーク値となるような特性）により、制御信号（輪郭補正用解像度制御信号）を決定することが好ましい。
【００２９】
＜１．２：撮像装置の動作＞
以上のように構成された第１実施形態による撮像装置１００の動作について、図７〜図１０も用いて、以下説明する。
（１．２．１：撮像装置１００の全体動作について）
撮像装置１００の光学系（不図示）により集光された被写体光は、撮像部１の撮像素子１１で光電変換され、撮像信号（映像信号）として解像度コントロール部２１に出力される。
撮像部１からの撮像信号（映像信号）は、輪郭補正部２１１により、輪郭補正用解像度制御信号に基づいて高域強調処理（解像度を高める処理（解像度向上処理））が実行され、さらに、帯域制限部２１２により、帯域制限用解像度制御信号に基づいて解像度低減処理（解像度を落とす処理）がなされる。そして、輪郭補正部２１１および帯域制限部２１２での処理を施された撮像信号（映像信号）は、後段の処理部（不図示）および解像度判定部２２に出力される。
【００３０】
解像度コントロール部２１から出力された撮像信号（映像信号）は、解像度変化を顕著に示す帯域を抽出する帯域通過フィルタ（ＢＰＦ）２２１に入力され、解像度変化を顕著に示す帯域が抽出された信号が、解像度判定信号（ａ）として制御部２３の制御特性部２３２、遅延部２２２、および差分検出部２２３に出力される。
遅延部２２２から出力される、例えば、１フィールド分に相当する時間だけ遅延した解像度判定信号（ａ）と、遅延のない解像度判定信号（ａ）とが、差分検出部２２３に入力され、差分検出部２２３により、両信号の差分情報を示す解像度判定信号（ｂ）が生成され、制御部２３の差分判定部２３１に出力される。ここで、解像度判定信号（ｂ）は、解像度変化を顕著に示す帯域が抽出された信号である解像度判定信号（ａ）の時間方向の差分情報を示す信号であるため、撮像信号（映像信号）の解像度変化を顕著に示す信号となっている。
【００３１】
解像度判定信号（ｂ）は、制御部２３の差分判定部２３１に入力され、差分判定部２３１では、解像度判定信号（ｂ）に基づいて、撮像信号（映像信号）の解像度変化の度合い（解像度の変化量）を示す信号を生成し、制御特性部２３２に出力する。
差分判定部２３１から出力された信号および解像度判定信号（ａ）は、制御特性部２３２に入力され、両信号に基づいて、輪郭補正用解像度制御信号、帯域制限用解像度制御信号、およびシャッター制御信号が生成される。そして、制御特性部２３２により生成された輪郭補正用解像度制御信号および帯域制限用解像度制御信号は、それぞれ、輪郭補正部２１１および帯域制限部２１２に入力され、解像度コントロール部における解像度調整処理（解像度向上処理および解像度低減処理）が実行される。また、制御特性部２３２により生成されたシャッター制御信号は、撮像部１のシャッターコントロール部１２に入力され、シャッター制御信号により撮像装置１００のシャッターが制御されることにより、撮像信号（映像信号）の解像度調整が実行される。
【００３２】
（１．２．２：パーン操作における解像度劣化について）
次に、撮像装置１００においてパーン操作を行ったときの解像度劣化について、説明する。
図７は、撮像装置１００でパーン操作をしたときの動き速度（パーンの動き速度）による解像度劣化を示す特性図である。なお、ここで、「パーン（チルト）の動き速度」とは、パーン（チルト）操作を行った場合の単位時間あたりの移動距離を撮像素子の画素数で表現したものである。例えば、撮像装置１００において、静止している被写体に対して、パーン操作を行ったときに、１秒間に１００画素（１００ピクセル）分のずれが、撮像信号（映像信号）が形成する画像（映像）上で生じたとき、「パーン（チルト）の動き速度」は、１００［ｐｉｘｅｌ／ｓｅｃ］となる。
【００３３】
図８は、同じくパーンの動き速度に対する限界解像度の変化を示す特性図である。図９は、本発明の撮像装置１００によるパーンの動き速度に対する限界解像度の向上特性を示す特性図である。図１０は、図９の特性を出す為のパーンの動き速度に対応した輪郭補正部２１１のゲイン特性を示す特性図である。
（１．２．３：撮像装置の動きによる解像度変化について）
ここで、撮像装置１００の動き、例えばパーン、チルト等の速度による解像度の変化の具合を説明する。
図７は、パーンの動き速度による解像度劣化の特性を示す特性図であるが、静止状態を変調度（ＭＴＦ（Ｍｏｄｕｌａｔｉｏｎ  Ｔｒａｎｓｆｅｒ  Ｆｕｎｃｔｉｏｎ））１００％としたとき、パーンの動き速度（以下、「パーン速度」ということがある。）によって、どれだけ変調度（ＭＴＦ）が劣化していくかを示したものである。つまり、パーン操作によって、もとの撮像装置１００により取得される撮像信号（映像信号）の解像度に、さらに、この特性が乗算される形で解像度の劣化が生じることになる。
【００３４】
パーン速度が、１秒間に１００ピクセル（１００［ｐｉｘｅｌ／ｓｅｃ］）から２００、３００［ｐｉｘｅｌ／ｓｅｃ］と大きくなるにつれて、撮像信号（映像信号）の解像度劣化具合が大きくなり、パーン速度が５００［ｐｉｘｅｌ／ｓｅｃ］では、３５０ＴＶ本の変調度が零になる特性となっている。
ＨＤ用の撮像装置であれば、限界解像度は、ほぼ１０００ＴＶ本であり、その特性が、例えば、５００［ｐｉｘｅｌ／ｓｅｃ］のパーンの動き速度で３５０ＴＶ本も再現できなくなることになる。また、ＳＤ用の撮像装置であれば、限界解像度は５００ＴＶ本から７００ＴＶ本であり、同じく５００［ｐｉｘｅｌ／ｓｅｃ］のパーンの動き速度で、３５０ＴＶ本も再現できなくなることになる。しかし、解像度の変化の度合いは、ＨＤ用の撮像装置の方が大きく、パーンの動き（パーン操作）によって、撮影者等が違和感を抱く程度は、ＳＤ用撮像装置よりＨＤ用撮像装置で大きくなる。
【００３５】
（１．２．４：制御信号（輪郭補正用解像度制御信号および帯域制限用解像度制御信号）のゲイン特性について）
図８は、ＨＤ用撮像装置とＳＤ用撮像装置とでのパーンの動き速度による限界解像度の変化を示すグラフである。同図より分かるように、静止状態からパーンによる動き速度が増すことによって、ＨＤ用撮像装置の解像度変化の落差が大きく、ある程度のパーン速度なるとＨＤ用撮像装置でもＳＤ用撮像装置でも同様な解像度特性（ボケ画像）になることが分かる。
そこで、本実施形態の撮像装置１００では、パーンの動き速度による限界解像度の特性が、例えば、図９に示す１点鎖線のように急激な変化を生じさせないように制御部２３の制御特性部２３２が解像度コントロール部２１に制御信号（輪郭補正用解像度制御信号および帯域制限用解像度制御信号）を出力するようにする。
【００３６】
制御信号（輪郭補正用解像度制御信号および帯域制限用解像度制御信号）としては、例えば、輪郭補正部２１１のゲイン特性をパーン速度による解像度劣化をもとに図１０に示すようなゲイン特性にすることで実現できる。
以上のように、本実施形態の撮像装置１００によれば、撮像装置１００のパーン等の動きにより、撮像信号（映像信号）の解像度の急激な変化（特に劣化）を抑制することができる。特に、ＨＤ用撮像装置等で取得される高精彩画像では、パーン操作等により解像度の変化が大きく、撮影者等に違和感を与えることになるが、撮像装置１００では、解像度の劣化具合を徐々に変化するように解像度をコントロールできるので（急激な解像度の変化を抑制することができるので）、撮影者等に与える違和感を抑えることができる。
なお、本実施形態の撮像装置１００では、撮像装置の動きとしてパーン操作による場合で説明したが、チルト操作での動きの場合や、また、パーン操作およびチルト操作を複合した動きの場合でも同様な効果が奏することができることは言うまでもない。
【００３７】
また、上記では、解像度のコントロールの手段として、輪郭補正部２１１のゲインをコントロールする例を示したが、動解像度を上げるシャッターコントロールや、逆に、帯域制限を施す帯域制限部（例えば、帯域制限回路により実現するもの）を組合せることにより、同様な効果を出せることは言うまでもない。
［第２実施形態］
＜２．１：撮像装置の構成＞
図１１は、本発明の第２実施形態における撮像装置２００の構成を示すブロック図である。
撮像装置２００は、図１１に示すように、撮像部１と、解像度コントロール部２１と、解像度判定部２２と、制御部２３Ａと、パーン・チルト速度検出部３と、を備える。
【００３８】
撮像装置２００は、パーン・チルト速度検出部３をさらに備える点が、第１実施形態に係る撮像装置１００と相違する。また、撮像装置２００では、第１実施形態に係る撮像装置１００の制御部２３が制御部２３Ａに置換されている点が相違する。それ以外の
第１実施形態と同様である部分については、同一符号を付し、詳細な説明を省略する。
パーン・チルト速度検出部３は、撮像装置２００において、パーン操作あるいはチルト操作が行われた場合のパーン速度およびチルト速度を算出し、算出したパーン速度およびチルト速度を示す信号をパーン・チルト速度情報信号として、制御部２３Ａの制御特性部２３２Ａに出力する。
制御部２３Ａの制御特性部２３２Ａは、解像度判定信号（ａ）、差分判定部２３１からの出力信号、およびパーン・チルト速度検出部３からのパーン・チルト速度情報信号を入力とし、解像度判定信号（ａ）、差分判定部２３１からの出力信号、およびパーン・チルト速度情報信号に基づいて、輪郭補正用解像度制御信号、帯域制限用解像度制御信号、およびシャッター制御信号を生成する。なお、撮像装置２００がＨＤ用撮像装置（ＨＤ−カメラ）である場合、輪郭補正部のゲイン特性が図１０に示すような特性となるように、制御信号（輪郭補正用解像度制御信号）を決定することが好ましい。具体的には、ＨＤ用撮像装置において、撮影者等に違和感を抱かせる原因となる、パーン速度が２００［ｐｉｘｅｌ／ｓｅｃ］あたりの解像度劣化を防止するような特性（パーン速度が２００［ｐｉｘｅｌ／ｓｅｃ］あたりのゲイン値がピーク値となるような特性）により、制御信号（輪郭補正用解像度制御信号）を決定することが好ましい。
【００３９】
＜２．２：撮像装置の動作＞
以上のように構成された第２実施形態による撮像装置２００の動作について、図１３（ａ）および図１３（ｂ）を用いて、以下説明する。
パーン、チルト速度検出部３は、例えば、図１３（ａ）に示すように、撮像装置２００が静状態から動状態に変わり、一定パーン速度状態（一定パーン速度によるパーン操作が継続している状態）、そして、動状態から静状態へ変わる速度変化を正確に検出することができる。この例の場合、一定パーン速度は、４００［ｐｉｘｅｌ／ｓｅｃ］の速度の場合を示している。第１実施形態でも説明した通り、ＨＤ等の高画素撮像装置の高精彩画像（映像）では、パーン操作等の動きにより、その動き出しや、止まる瞬間に解像度の変化が大きく、特に、撮影者等が違和感を抱くことになる。これを防止するために、解像度コントロール部２１の輪郭補正部２１１のゲインを変える制御部２３の制御特性を、図１３（ｂ）に示すように行う。
【００４０】
具体的には、撮像装置２００において、以下のように、輪郭補正部２１１のゲイン値を制御する。
（１）静から動の過渡期（時刻ｔ１〜ｔ２）
輪郭補正部２１１のゲイン値を「１」から徐々に大きくする。このとき、ゲイン値の変化率（増加率）（図８０（ｂ）のグラフの傾き）をパーン・チルト速度検出部３の出力信号（パーン・チルト速度情報信号）に応じて、変化させることが好ましい。
（なお、ゲイン値「１」とは、ＨＰＦ２１１２でＨＰＦ処理を実行された出力がゲイン値調整されることなく、加算器２１１３に出力される状態を実現させるゲイン値である。）
（２）一定パーンの動状態（時刻ｔ２〜ｔ３）
ゲイン値を固定（図１３（ｂ）では、ゲイン値を「ＭＡＸ」に固定）する。なお、上記（１）でのゲイン値の変化率（傾き）制御によっては、「一定パーンの動状態」の開始時刻が「ｔ２」とは異なる時刻となることは言うまでもない。
（３）動から静の過渡期（時刻ｔ３〜ｔ４）
「一定パーンの動状態」において固定したゲイン値から徐々にゲイン値を減少させ、撮像装置２００が静止した状態で、ゲイン値が「０」となるようにゲイン値を減少させていく（図１３（ｂ）では、「静」の状態となった時刻ｔ４でゲイン値が「０」となっている）。なお、「静から動の過渡期」（時刻ｔ１〜ｔ２）同様、この期間においても、ゲイン値の変化率（傾き）制御を行うようにしてもよい。
（なお、ゲイン値「０」とは、ＨＰＦ２１１２でＨＰＦ処理を実行された出力が加算器２１１３に出力されない状態を実現させるゲイン値である。したがって、このとき、輪郭補正部２１１から出力される信号は、遅延部２１１１からの出力となる。つまり、このとき、輪郭補正部２１１に入力される信号が、スルーの状態で、輪郭補正部２１１から出力されることになる。）
（４）静止状態（時刻ｔ４〜ｔ５）
撮像装置２００が静止した状態となった時刻ｔ４から時刻ｔ５までの期間において、ゲイン値を「０」のまま維持する。
（５）静止状態（時刻ｔ５〜ｔ６）
そして、時刻ｔ５からｔ６の期間において、ゲイン値を「０」から「１」へと徐々に増加させていく。
【００４１】
以上のように、撮像装置２００において、輪郭補正部２１１のゲイン値を制御することで、特に、撮影者等に違和感を抱かせる動き出し（パーン操作の開始等）や、止まる瞬間（パーン操作の終了等）の解像度変化を抑えることができる。
なお、上記制御特性の動き出しのゲイン値（静から動の過渡期のゲイン値）や、止まる瞬間の前のゲイン値（動から静の過渡期のゲイン値）、撮像装置２００が静止した後の暫くの期間のゲイン値（時刻ｔ４〜ｔ５の期間のゲイン値）、さらに、その所定時間（図１３のｔ１〜ｔ２の期間、ｔ３〜ｔ４の期間、ｔ４〜ｔ５の期間）、標準ゲインに戻す所定時間（ｔ５〜ｔ６の期間）等は、特に観察者に違和感を抱かせないように、適切に設定値を選択できることは言うまでもない。また、図１３の時刻ｔ１〜ｔ２、ｔ３〜ｔ４、ｔ５〜ｔ６のゲイン値の変化率（傾き）制御についても、観察者に違和感を抱かせないように、適切に設定値を選択できることは言うまでもない。なお、これらの設定値は、人間の視覚特性を考慮して設定することで、より適切な値を選択することができる。
【００４２】
このように、本実施形態によれば、撮影時のパーン操作やチルト操作によって、特に、撮影者等に違和感を抱かせる動き出し（撮像装置の動き出し）や、止まる瞬間の解像度変化（撮像装置により取得される映像の解像度の変化）を抑えることができる。
また、撮像装置２００では、パーン・チルト速度検出部により、正確にパーン速度やチルト速度を把握することができるので、解像度判定部２２だけでは、被写体の急激な動き等による解像度への影響を判定できない場合でも、正確にパーン操作やチルト操作の状況を判断することができ、正確に解像度の制御を行うことができる。
なお、第１実施形態と同様に第２実施形態でも、撮像装置の動きとしてパーン操作による場合で説明したが、チルト操作による撮像装置の動きによる場合や、または、パーン操作、チルト操作の複合の動きによる場合でも同様な効果が出せることは言うまでもない。
【００４３】
また、解像度のコントロールの手段として、輪郭補正部２１１のゲインをコントロールする例を示したが、動解像度を上げるシャッターコントロールや、逆に、帯域制限を施す帯域制限部（例えば、帯域制限回路により実現可能。）も組合せることにより同様な効果を出せることも言うまでもない。
［他の実施形態］
前述の第１実施形態において、制御部２３、２３Ａの制御特性部２３２、２３２Ａは、差分判定部の出力信号と帯域通過フィルタ（ＢＰＦ）２２１の出力信号との両方から解像度コントロール部２１への制御信号の特性を決定するが、帯域通過フィルタ（ＢＰＦ）２２１の出力信号が、十分小さい所定のレベル以下と判定した場合（例えば、帯域通過フィルタ（ＢＰＦ）２２１にＤＣ（直流成分）での変調度が１００％である信号を入力したときの帯域通過フィルタ（ＢＰＦ）２２１の出力信号が変調度５〜１０％である場合、「十分小さい所定のレベル以下」と判定する。）、本発明で解決する高精細な画像からボケ画像になる違和感を、撮影者等は抱くことは少ない。したがって、このような場合（例えば、細かな変化の少ないほぼ一様な被写体のみを撮像装置により撮影している場合がこのような場合に相当する。）、前述の実施形態で説明した制御を行わずに、ゲイン特性を一定にする、もしくは、制御を弱めるようにしてもよい。
【００４４】
なお、上記実施形態で説明した撮像装置において、各ブロックは、ＬＳＩなどの半導体装置により個別に１チップ化されても良いし、一部又は全部を含むように１チップ化されても良い。
なお、ここでは、ＬＳＩとしたが、集積度の違いにより、ＩＣ、システムＬＳＩ、スーパーＬＳＩ、ウルトラＬＳＩと呼称されることもある。
また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてあり得る。
【００４５】
また、上記実施形態の各処理をハードウェアにより実現してもよいし、ソフトウェアにより実現してもよい。さらに、ソフトウェアおよびハードウェアの混在処理により実現しても良い。なお、上記実施形態に係る撮像装置をハードウェアにより実現する場合、各処理を行うためのタイミング調整を行う必要があるのは言うまでもない。上記実施形態においては、説明便宜のため、実際のハードウェア設計で生じる各種信号のタイミング調整の詳細については省略している。
なお、本発明の具体的な構成は、前述の実施形態に限られるものではなく、発明の要旨を逸脱しない範囲で種々の変更および修正が可能である。
【産業上の利用可能性】
【００４６】
本発明にかかる撮像装置は、特に高精彩画像の撮像装置において撮像装置をパーン操作やチルト操作により動かして撮影する時に、高解像度の画像からボケ画像へ変化する時や、逆に、ボケ画像から高解像度になる時に発生する解像度の急激な変化による撮影者等が抱く違和感を抑えることができる。したがって、一般の民生用の撮像装置から放送用の撮像装置、さらには制作用途等の撮像装置に幅広く適用することができるので、本発明は、映像関連分野において実施することが可能である。
【図面の簡単な説明】
【００４７】
【図１】本発明の第１実施形態に係る撮像装置１００の構成を示すブロック図。
【図２】第１実施形態の撮像部１の内部構成の一例を示すブロック図。
【図３】第１実施形態の解像度コントロール部２１の内部構成の一例を示すブロック図。
【図４】第１実施形態の輪郭補正部２１１の内部構成の一例を示すブロック図。
【図５】第１実施形態の解像度判定部２２の内部構成の一例を示すブロック図。
【図６】第１実施形態の制御部２３の内部構成の一例を示すブロック図。
【図７】撮像装置のパーンの動き速度による解像度劣化を示す特性図。
【図８】パーンの動き速度に対する限界解像度の変化を示す特性図。
【図９】パーンの動き速度に対する限界解像度の向上特性を示す図。
【図１０】図９の特性を出す為のパーンの動き速度に対応した輪郭補正部２１１のゲイン特性を示す特性図。
【図１１】本発明の第２実施形態に係る撮像装置２００の構成を示すブロック図。
【図１２】本発明の第２実施形態に係る撮像装置２００の制御部２３Ａの構成を示すブロック図。
【図１３】（ａ）第２実施形態におけるパーンの動き速度変化の例を示す特性図。（ｂ）第２実施形態におけるパーンの動き速度に対応したゲイン特性を示す特性図。
【図１４】従来の電子内視鏡装置（撮像装置）９００の構成を示す構成図。
【図１５】従来の電子内視鏡装置（撮像装置）９００の輪郭補正回路９３の内部構成を示す構成図。
【図１６】（ａ）従来の電子内視鏡装置（撮像装置）９００の補正特性をコントロールするレベル制御回路９３０９の内部構成を示す構成図。（ｂ）従来の電子内視鏡装置（撮像装置）９００の補正特性をコントロールするレベル制御回路９３０９の補正特性を示す特性図。
【図１７】従来の電子内視鏡装置（撮像装置）９００の動き量検出手段９２の内部構成を示す構成図。
【符号の説明】
【００４８】
１００、２００  撮像装置
１  撮像部
２  信号処理部
２１  解像度コントロール部
２２  解像度判定部
２３、２３Ａ  制御部
３  パーン、チルト速度検出部
１１  撮像素子
１２  シャッターコントロール部
２１１  輪郭補正部
２１２  帯域制限部
２２１  帯域通過フィルタ
２２２  遅延部
２２３  差分検出部
２３２、２３２Ａ  制御特性部
２３１  差分判定部
【図１】
2009253510.tif 000003
【図２】
2009253510.tif 000004
【図３】
2009253510.tif 000005
【図４】
2009253510.tif 000006
【図５】
2009253510.tif 000007
【図６】
2009253510.tif 000008
【図７】
2009253510.tif 000009
【図８】
2009253510.tif 000010
【図９】
2009253510.tif 000011
【図１０】
2009253510.tif 000012
【図１１】
2009253510.tif 000013
【図１２】
2009253510.tif 000014
【図１３】
2009253510.tif 000015
【図１４】
2009253510.tif 000016
【図１５】
2009253510.tif 000017
【図１６】
2009253510.tif 000018
【図１７】
2009253510.tif 000019